(57)【特許請求の範囲】
【請求項１】
携帯用コンピュータに実装可能な拡張ステーションにおいて；
拡張ステーション（１００）とシステム本体（２００）の各所定位置に形成され、拡張ステーション（１００）とシステム本体（２００）とを相対的に摺動させることが可能な案内手段と；
前記拡張ステーション（１００）とシステム本体（２００）の各所定位置に形成され、前記案内手段による前記拡張ステーション（１００）とシステム本体（２００）の摺動動作の状態に応じて接触状態が変化し、その状態に応じた信号を出力する第１および第２スイッチング手段と；
前記第１および第２スイッチング手段から出力される信号が、それぞれ対応する第１および第２入力端子（ＤＯＣＫＩＮＧ、ＤＯＣＫＩＮＧ−ＩＮ）に入力されると、入力される信号状態に応じて携帯用コンピュータの動作モードを変更する制御信号を出力する制御手段と；
その動作モードに応じた制御手段の出力信号により、動作伏態が変化して、動作モードが変更された携帯用コンピュータの動作に必要な電源供給の可否を制御するスイッチング素子と；
前記スイッチング素子の動作状態に応じて、携帯用コンピュータの動作に必要な電源供給の可否を決定する電源供給装置と；
を備え，
前記第１スイッチング手段は、前記拡張ステーション（１００）に形成されている第１接点（１１）と、前記システム本体（２００）に形成されている第２接点（２１）とから構成され、前記拡張ステーション（１００）と前記システム本体（２００）とが挿着途中で，前記第１接点（１１）と前記第２接点（２１）とが接続されると，前記システム本体（２００）の動作モードがサスペンドモードに変更され，
前記第２スイッチング手段は、前記拡張ステーション（１００）に形成されている第１コネクタ（１３）と、前記システム本体（２００）に形成されている第２コネクタ（２３）とから構成され、前記拡張ステーション（１００）と前記システム本体（２００）の摺動動作に応じて，前記第１接点（１１）と前記第２接点（２１）とが接続され、さらに、前記第１コネクタ（１３）と前記第２コネクタ（２３）とが接続されると，前記システム本体（２００）の動作モードがレジュームモードに移行されることを特徴とする、挿着状態感知装置が実装された拡張ステーション。
【請求項２】
前記案内手段は、前記拡張ステーシヨン（１００）の所定位置に形成された第１案内部（１２）と、前記システム本体（２００）の所定位置に形成された第２案内部（２２）とから成り、前記拡張ステーション（１００）と前記システム本体（２００）の摺動動作を案内するものであることを特徴とする、請求項１に記載の拡張ステーション。
【請求項３】
前記第１スイッチング手段は、前記拡張ステーション（１００）に形成されている第１接点（１１）と、前記システム本体（２００）に形成されている第２接点（２１）とから構成され、前記拡張ステーション（１００）と前記システム本体（２００）に形成されている前記第１および第２案内部（１２、２２）による摺動動作が行われた場合に、その摺動状態に応じて、前記第１接点（１１）と前記第２接点（２１）の接点状態が変化することを特徴とする、請求項１または２に記載の拡張ステーション。
【請求項４】
前記第２スイッチング手段は、前記拡張ステーション（１００）に形成されている第１コネクタ（１３）と、前記システム本体（２００）に形成されている第２コネクタ（２３）とから構成され、前記拡張ステーション（１００）と前記システム本体（２００）に形成されている前記第１および第２案内部（１２、２２）による摺動動作が行われた場合に、その摺動状態に応じて、前記第１コネクタ（１３）と前記第２コネクタ（２３）の接続状態が変化することを特徴とする、請求項１または３のいずれかに記載の拡張ステーション。
【請求項５】
前記第１および第２スイッチング手段は、外部から印加される物理的な力により接続状態が変化するマイクロスイッチから成ることを特徴とする、請求項１に記載の拡張ステーション。
【請求項６】
前記第１および第２スイッチング手段は、発光される光の受光可否に応じて出力状態が変化するフォトセンサから成ることを特徴とする、請求項１に記載の拡張ステーション。
【請求項７】
請求項１に記載の拡張ステーションを実装可能な携帯用コンピュータの動作モード制御方法であって；
前記第１入力端子（ＤＯＣＫＩＮＧ）に入力される信号状態を判読し、判読された信号状態が前記第１スイッチング手段の接続状態に対応する状態である場合には、前記携帯用コンピュータの動作モードをサスペンドモードに制御する制御信号を出力するステップと；
前記携帯用コンピュータの動作モードがサスペンドモードに変更された後に、前記第２入力端子（ＤＯＣＫＩＮＧＩＮ）に入力される信号状態を判読し、判読された信号状態が前記第２スイッチング手段の接続状態に対応する状態である場合には、前記携帯用コンピュータの動作モードをレジュームモードに制御する制御信号を出力するステップと；
を含むことを特徴とする、拡張ステーションを実装可能な携帯用コンピュータの動作モード制御方法。
【請求項８】
携帯用コンピュータに実装可能な拡張ステーションにおいて；
拡張ステーション（１００）とシステム本体（２００）の各所定位置に形成され、拡張ステーション（１００）とシステム本体（２００）とを相対的に摺動させることが可能な案内手段と；
前記拡張ステーション（１００）とシステム本体（２００）の各所定位置に形成され、前記案内手段による前記拡張ステーション（１００）とシステム本体（２００）の摺動動作の状態に応じて接触状態が変化し、その状態に応じた信号を出力する第１および第２スイッチング手段と；
前記第１および第２スイッチング手段から出力される信号が、それぞれ対応する第１および第２入力端子（ＤＯＣＫＩＮＧ、ＤＯＣＫＩＮＧ−ＩＮ）に入力されると、入力される信号状態に応じて携帯用コンピュータの動作モードを変更する制御信号を出力する制御手段と；
その動作モードに応じた制御手段の出力信号により、動作伏態が変化して、動作モードが変更された携帯用コンピュータの動作に必要な電源供給の可否を制御するスイッチング素子と；
前記スイッチング素子の動作状態に応じて、携帯用コンピュータの動作に必要な電源供給の可否を決定する電源供給装置と；
を備え、
前記案内手段は、前記拡張ステーシヨン（１００）の所定位置に形成された第１案内部（１２）と、前記システム本体（２００）の所定位置に形成された第２案内部（２２）とから成り、
前記第１スイッチング手段は、前記第１案内部（１２）の所定位置に形成されている第１接点（１１）と、前記第２案内部（２２）の所定位置に形成されている第２接点（２１）とから構成され、前記拡張ステーション（１００）と前記システム本体（２００）とが挿着途中で，前記第１接点（１１）と前記第２接点（２１）とが接続されると，前記システム本体（２００）の動作モードがサスペンドモードに変更され，
前記第２スイッチング手段は、前記拡張ステーション（１００）に形成されている第１コネクタ（１３）と、前記システム本体（２００）に形成されている第２コネクタ（２３）とから構成され、前記拡張ステーション（１００）と前記システム本体（２００）の摺動動作に応じて，前記第１接点（１１）と前記第２接点（２１）とが接続され、さらに、前記第１コネクタ（１３）と前記第２コネクタ（２３）とが接続されると，前記システム本体（２００）の動作モードがレジュームモードに移行されることを特徴とする、挿着状態感知装置が実装された拡張ステーション。
【発明の詳細な説明】
【０００１】
【発明の属する技術分野】
本発明は、拡張ステーション（ドッキングステーション）およびその拡張ステーションを実装可能な携帯用コンピュータの動作モード制御方法にかかり、特に、拡張ステーションの挿着状態に応じて、携帯用コンピュータの動作モードを変更し、拡張ステーションの挿着を安全に行うことが可能な挿着状態感知装置を備えた、拡張ステーションおよびその拡張ステーションを実装可能な携帯用コンピュータの動作モード制御方法に関する。
【０００２】
【従来の技術】
近年、バッテリパックを主電源とする携帯用コンピュータが、時と場所を選ばずに所望の情報を入力して所望の処理を行うことが可能であることから、広く一般に使用されている。かかる携帯用コンピュータは、携帯性を容易にするための小型化、および大量の情報処理を行うための大容量化を進めることにより、急変する情報社会において要求される迅速な情報処理と情報通信を実現することが可能となり、その需要が急増している。
【０００３】
ところで、かかる携帯用コンピュータは、製品の小型化を図るために制限された空間内で、最低限必要な機能のみを実行することができるように設計されている。そこで、ユーザの要求に応じて多様な機能を実行する動作モジュールを拡張することができるような拡張ステーションを用意し、ユーザの要求に応じた必要な機能を拡張することができるシステムが提案されている。
【０００４】
かかる拡張ステーションは、携帯用コンピュータの本体と着脱自在に構成されており、新たな機能を実行する動作モジュールを挿着した拡張ステーションを、携帯用コンピュータに挿着することにより、所望の機能を実行することが可能となる。
【０００５】
図５を参照しながら、従来の拡張ステーションの構成について説明すると、拡張ステーション２は、その動作に必要な電源Ｖｄｄを供給するための電源供給部２０１と、拡張する制御動作を実行する動作モジュール２０２とを備えており、マイクロコンピュータ１０１０が内蔵されている携帯用コンピュータ本体１０１に設けられたコネクタ３０１と、拡張ステーション２に設けられたコネクタ３０２を利用して拡張ステーション２の着脱動作ができるように構成されている。
【０００６】
上記の如く構成された拡張ステーション２においては、該当機能を実行する動作モジュール２０２を所定位置に挿着することにより、挿着された動作モジュール２０２に対して、電源供給部２０１から動作に必要な電源Ｖｄｄが供給される。そして、挿着された動作モジュール２０２の動作に必要な制御信号およびデータなどの入出力動作を、上記コネクタ３０１、３０２を介して行うことにより、携帯用コンピュータ本体１０１に所望の拡張機能を実行させることができる。
【０００７】
ところで、上記システムのように、拡張ステーション２を介して携帯用コンピュータ本体１０１の機能を拡張する場合には、拡張ステーション２の着脱動作時に、拡張ステーション２と携帯用コンピュータ本体１０１に供給される電源Ｖｄｄはすべてオフにされる必要がある。仮に、拡張ステーション２と携帯用コンピュータ本体１０１のいずれか一方に供給される電源Ｖｄｄがオン状態のまま、拡張ステーション２の着脱が行われると、電源Ｖｄｄがオン状態の装置からオフ状態の装置に対して漏洩電流が発生する。かかる漏洩電流は、定常動作に影響を与え、誤動作を生じさせ、場合によっては、オフ状態の装置が過負荷で動作して、その電源供給部が損傷するおそれがある。また、使用される電源をオン状態に保持したまま拡張ステーション２を挿着できるようにシステムを構成するには、多くの付加回路が必要となり、制作コストおよび製造上の困難さが増加することになる。
【０００８】
【発明が解決しようとする課題】
本発明は、従来の装置が有する上記間題点に鑑みてなされたものであり、拡張ステーションの挿着状態を多段階に区分し、その挿着状態に応じて携帯用コンピュータの動作モードを変更することにより、電源供給の有無にかかわらず、拡張ステーションの挿着を安全に行うことが可能な挿着状態感知装置を備えた拡張ステーションおよび携帯用コンピュータの制御方法を提供することを目的としている。
【０００９】
【課題を解決するための手段】
上記課題を解決するために、本発明の第１の観点によれば、請求項１に記載のように、携帯用コンピュータに実装可能な拡張ステーションにおいて；
拡張ステーション（１００）とシステム本体（２００）の各所定位置に形成され、拡張ステーション（１００）とシステム本体（２００）とを相対的に摺動させることが可能な案内手段と；
前記拡張ステーション（１００）とシステム本体（２００）の各所定位置に形成され、前記案内手段による前記拡張ステーション（１００）とシステム本体（２００）の摺動動作の状態に応じて接触状態が変化し、その状態に応じた信号を出力する複数段のスイッチング手段、例えば第１および第２スイッチング手段と；
前記第１および第２スイッチング手段から出力される信号がそれぞれ対応する複数段の入力端子、例えば第１および第２入力端子（ＤＯＣＫＩＮＧ、ＤＯＣＫＩＮＧ−ＩＮ）に入力されると、入力される信号状態に応じて携帯用コンピュータの動作モードを変更する制御信号を出力する制御手段と；
その動作モードに応じた制御手段の出力信号により、動作状態が変化して、動作モードが変更された携帯用コンピュータの動作に必要な電源供給の可否を制御するスイッチング素子と；
前記スイッチング素子の動作状態に応じて、携帯用コンピュータの動作に必要な電源供給の可否を決定する電源供給装置と；
を備えたことを特徴とする、挿着状態感知装置が実装された拡張ステーションが提供される。
【００１０】
なお上記拡張ステーションの前記案内手段は、請求項２に記載の通り、前記拡張ステーション（１００）の所定位置に形成された第１案内部（１２）と、前記システム本体（２００）の所定位置に形成された第２案内部（２２）とから成り、前記拡張ステーション（１００）と前記システム本体（２００）の摺動動作を案内するものであることが好ましい。
【００１１】
また上記拡張ステーションの前記第１スイッチング手段は、請求項３に記載の通り、前記拡張ステーション（１００）に形成されている第１接点（１１）と、前記システム本体（２００）に形成されている第２接点（２１）とから構成され、前記拡張ステーション（１００）と前記システム本体（２００）に形成されている前記第１および第２案内部（１２、２２）による摺動動作が行われた場合に、その摺動状態に応じて、前記第１接点（１１）と前記第２接点（２１）の接点状態が変化するように構成することが好ましい。
【００１２】
さらに上記拡張ステーションの前記第２スイッチング手段は、請求項４に記載の通り、前記拡張ステーション（１００）に形成されている第１コネクタ（１３）
と、前記システム本体（２００）に形成されている第２コネクタ（２３）とから構成され、前記拡張ステーション（１００）と前記システム本体（２００）に形成されている前記第１および第２案内部（１２、２２）による摺動動作が行われた場合に、その摺動状態に応じて、前記第１コネクタ（１３）と前記第２コネクタ（２３）の接続状態が変化するように構成することが好ましい。
【００１３】
さらにまた上記拡張ステーションの前記第１および第２スイッチング手段は、請求項５に記載のように、外部から印加される物理的な力により接続状態が変化するマイクロスイッチから構成することも可能であり、あるいは請求項６に記載のように、発光される光の受光可否に応じて出力状態が変化するフォトセンサから構成することも可能である。
【００１４】
さらにまた上記拡張ステーションの前記制御手段は、請求項７に記載のように、第１入力端子（ＤＯＣＫＩＮＧ）に入力される信号状態を判読し、判読された信号状態が前記第１スイッチング手段の接続状態に対応する状態である場合には、前記携帯用コンピュータの動作モードをサスペンドモードに制御する制御信号を出力し、前記携帯用コンピュータの動作モードがサスペンドモードに変更された後に、前記第２入力端子（ＤＯＣＫＩＮＧ−ＩＮ）に入力される信号状態を判読し、判読された信号状態が前記第２スイッチング手段の接続状態に対応する状態である場合には、前記携帯用コンピュータの動作モードをレジュームモードに制御する制御信号を出力するように構成することが好ましい。
【００１５】
上記課題を解決するために本発明の第２の観点によれば、請求項８に記載のように、請求項１に記載の拡張ステーションを実装可能な携帯用コンピュータの動作モード制御方法であって；
前記第１入力端子（ＤＯＣＫＩＮＧ）に入力される信号状態を判読し、判読された信号状態が前記第１スイッチング手段の接続状態に対応する状態である場合には、前記携帯用コンピュータの動作モードをサスペンドモードに制御する制御信号を出力するステップと；
前記携帯用コンピュータの動作モードがサスペンドモードに変更された後に、前記第２入力端子（ＤＯＣＫＩＮＧ−ＩＮ）に入力される信号状態を判読し、判読された信号状態が前記第２スイッチング手段の接続状態に対応する状態である場合には、前記携帯用コンピュータの動作モードをレジュームモードに制御する制御信号を出力するステップと；
を含むことを特徴とする、拡張ステーションを実装可能な携帯用コンピュータの動作モード制御方法が提供される。
【００１６】
【発明の実施の形態】
以下、添付図面を参照しながら、本発明にかかる拡張ステーションおよびその拡張ステーションを実装可能な携帯用コンピュータの動作モード制御方法の好適な実施の形態について詳細に説明する。
【００１７】
まず図１を参照しながら、本実施の形態にかかる拡張ステーションを実装可能な携帯用コンピュータの構成をみると、本構成は、拡張しようとする機能を実行するとともに挿着装置が形成された拡張ステーション１００と、この拡張ステーション１００を挿着可能なように、下段部に挿着装置が形成されているシステム本体２００とを備えている。
【００１８】
さらに拡張ステーション１００は、システム本体２００の下段部に挿着可能なように拡張ステーション１００の両側面に形成された第１案内部１２と、前記第１案内部１２の所定部分に形成された第１接点１１と、拡張ステーション１００の内側の所定部分に形成された第１コネクタ１３とを備えている。
【００１９】
システム本体２００は、拡張ステーション１００が挿着される際に、第１接点１１と接続される第２接点２１と、拡張ステーション１００の第１案内部１２が挿入されて前後に摺動可能な第２案内部２２と、拡張ステーション１００の第１コネクタ１３と連結される第２コネクタ２３とを備えている。
【００２０】
さらに図２を参照しながら、拡張ステーション１００とシステム本体２００とが連結された場合に形成される回路を説明すると、この回路は、電源Ｖｃｃに一側端子が接続されるとともに第１接点１１に他側端子が接続されている抵抗Ｒ１と、電源Ｖｃｃに一側端子が接続されるとともに第１コネクタ１３に他側端子が接続されている抵抗Ｒ２と、第２接点２１に連通する第１入力端子（ＤＯＣＫＩＮＧ）と第２接点２３に連通する第２入力端子（ＤＯＣＫＩＮＧ−ＩＮ）とを備えた中央処理装置２０と、その中央処理装置２０の出力端子にベース端子が接続されるとともに電源Ｖｃｃにコレクタ端子が接続されるトランジスタＴ１と、そのトランジスタＴ１のエミッタ端子に接続される電源供給装置３０とから主に構成されている。
【００２１】
以上の構成により、第１接点１１と第２接点２１とにより一次接続部１０００が形成され、第１コネクタ１３と第２コネクタ２３とにより二次接続部２０００とがそれぞれ構成される。これらの一次接続部１０００と二次接続部２０００とは、外部から印加される物理的な力により接続状態が変化するマイクロスイッチや、あるいは発光される光の受光の有無に応じて出力状態が変化するフォトセンサを用いることにより、一次接続部１０００と二次接続部２０００との接続状態を判断できるように構成される。
【００２２】
次に、上記のように構成された拡張ステーションを挿着可能な携帯用コンピュータの動作を説明すると、ユーザは携帯用コンピュータに新たな機能を拡張させる場合に、まず、対応する動作モジュールが挿着された拡張ステーション１００をシステム本体２０００に挿着する。すなわち、ユーザは、追加機能の動作モジュールが挿着された拡張ステーション１００の第１案内部１２を、携帯用コンピュータのシステム本体２００の下段部に設けられた第２案内部２２に、図４に示す挿着完了状態になるまで挿着し、第１および第２コネクタ１３、２３が指互に安全に接続されるようにする。かかる動作により、拡張ステーション１００がシステム本体２００に挿着される。
【００２３】
その場合に、拡張ステーション１００の第１案内部１２が、システム本体２００の第２案内部２２を介して、所定の位置にまで挿入されることにより、第１および第２接点１１ 、２１が相互に接続されると、一次接続部１０００が接続状態になる。このように、第１および第２接点１１、２１が接続されると、抵抗Ｒ１を介して電源Ｖｃｃから所定電圧が、第１および第２接点１１、２１による一次接続部１０００を介して、中央処理装置２０の第１入力端子（ＤＯＣＫＩＮＧ）に入力される。その結果、中央処理装置２０は、第１入力端子（ＤＯＣＫＩＮＧ）の信号状態により拡張ステーション１００の挿入動作が進行していることを認識することができる。
【００２４】
第１および第２接点１１、２１により一次接続部１０００が接続状態になった後に、引き続き行われる拡張ステーション１００の摺動動作により、第１および第２コネクタ１３、２３により二次接続部２０００が接続されて、拡張ステーション１００とシステム本体２００との接続動作が完了する。このように、第１および第２コネクタ１３、２３が接続されると、抵抗Ｒ２を介して電源Ｖｃｃから所定電圧が、第１および第２コネクタ１３、２３による二次接続部２０００を介して、中央処理装置２０の第２入力端子（ＤＯＣＫＩＮＧ−ＩＮ）に入力される。その結果、中央処理装置２０は、第２入力端子（ＤＯＣＫＩＮＧ−ＩＮ）の信号状態に応じて、トランジスタＴ１のターンオン／オフ状態を変化させて、電源供給部３０の動作を制御することが可能となる。
【００２５】
次に図３を参照しながら本実施の形態にかかる携帯用コンピュータの中央処理装置２０の動作について説明すると、まず、動作に必要な電源供給されると、中央処理装置２０は、動作を開始して（Ｓ１０）、第１入力端子（ＤＯＣＫＩＮＧ）に入力される信号を判読する（Ｓ１１）。
【００２６】
次いで、中央処理装置２０は、判読された信号状態が高レベルである「Ｈ」状態であるかどうかを判断し（Ｓ１２）、高レベルである「Ｈ」状態である場合には、中央処理装置２０は、拡張ステーション１００とシステム本体２００の第１および第２案内部１２、２２の摺動動作による拡張ステーション１００の第１接点１１とシステム本体２００の第２接点２１との接続状態を判断する。このようにして、中央処理装置２０は、第１および第２接点１１、１２の接続状態から拡張ステーション１００の挿着状態を認識することができる。
【００２７】
そして、中央処理装置２０は、拡張ステーション１００の安全な挿着動作を行うために、携帯用コンピュータの動作モードをサスペンドモードに変更するようにトランジスタＴ１をターンオフさせる制御信号を出力する（Ｓ１３）。このサスペンドモードは、所定時間以上にわたり動作可能状態の携帯用コンピュータが作動しない場合に、現在の作業状態に応じたデータを挿着されているメモリに格納した後、自動的に携帯用コンピュータの主電源を切る動作モードである。すなわち、中央処理装置２０は、携帯用コンピュータの現在の動作に関するデータを所定のメモリに格納した後、トランジスタＴ１のターンオフ動作により、電源供給装置３０に入力される電源Ｖｃｃを制御して、携帯用コンピュータの動作に不必要な電源を遮断する。この結果、新たな機能を追加する拡張ステーション１００を携帯用コンピュータのシステム本体２００に挿着中に、携帯用コンピュータの中央処理装置２０は、携帯用コンピュータの動作状態をサスペンド状態に変更し、不必要な電源の消耗を減じるとともに、電源供給により発生するおそれがある誤動作を防止することができる。
【００２８】
さらに、中央処理装置２０は、第１入力端子（ＤＯＣＫＩＮＧ）に入力される信号状態が高レベルである「Ｈ」である間に、携帯用コンピュータの動作モードをサスペンドモードに変更した後、第２入力端子（ＤＯＣＫＩＮＧ−ＩＮ）の信号状態を判読する（Ｓ１４）。
【００２９】
これに対して、ステップＳ１２において、判読された第１入力端子（ＤＯＣＫＩＮＧ）の信号状態が低レベルである「Ｌ」を示す場合には、中央処理装置２０は、新たな機能を追加する拡張ステーション１００の挿着動作が行われていない状態であると判断し、ステップＳ１１に戻る。そして、中央処理装置２０は、継続して、第１入力端子（ＤＯＣＫＩＮＧ）の信号状態を判読する（Ｓ１１）。かかるルーチン動作の結果、携帯用コンピュータに新たな機能を追加する拡張ステーション１００の挿着が行われ、第１および第２接点１１、１２が接続状態になったと判断されると（Ｓ１２）、上記ステップＳ１３、Ｓ１４を経て、第２入力端子（ＤＯＣＫＩＮＧ−ＩＮ）の信号状態が高レベルである「Ｈ」であるかどうかを判断する（Ｓ１５）。そして、第２入力端子（ＤＯＣＫＩＮＧ−ＩＮ）の信号状態が高レベルである「Ｈ」であると判断されると、中央処理装置２０は、携帯用コンピュータの動作状態をサスペンドモードからレジュームモードに制御するために、トランジスタＴ１をターンオンさせるための信号を出力する（Ｓ１６）。
【００３０】
ここでレジュームモードとは、サスペンドモード状態にあるコンピュータのユーザの動作により主電源がオン状態に変更されると、再びメモリ内に格納されていたデータを復帰してデータ処理を行える状態にする動作モードである。従って、本実施の形態について言えば、中央処理装置２０は、スイッチング素子で動作するトランジスタＴ１をターンオン動作させ、電源供給装置３０に電源Ｖｃｃが供給されて、携帯用コンピュータの動作に必要な電源を発生させ、さらにメモリ内に格納されているデータを復帰させて、携帯用コンピュータを動作状態にする。
【００３１】
このように、本実施の形態によれば、携帯用コンピュータに新たな機能を追加するためにその機能を実行する動作モジュールが挿着された拡張ステーション１００がシステム本体２００に安全に挿着されると、中央処理装置２０は、携帯用コンピュータの動作状態をレジュームモードに変更し、定常的な携帯用コンピュータの動作が行えるように制御する。
【００３２】
これに対して、ステップＳ１５において、第２入力端子（ＤＯＣＫＩＮＧ−ＩＮ）に入力される信号状態が高レベルである「Ｈ」でないと判断された場合には、中央処理装置２０は、拡張ステーション１００とシステム本体２００の接続が安全に行われていない状態であると判断する。その結果、中央処理装置２０は、コンピュータシステムの動作を定常状態に戻すレジュームモードに変更せずに、引き続きサスペンドモードを維持し（Ｓ１３）、再び第２入力端子（ＤＯＣＫＩＮＧ−ＩＮ）の信号状態を判読する（Ｓ１４）。
【００３３】
以上、添付図面を参照しながら本発明にかかる携帯用コンピュータの好適な実施の形態について説明したが、本発明はかかる例に限定されない。当業者であれば、特許請求の範囲に記載され技術均思想の範囲内において各種の変更例および修正例に想到することは明らかであり、これらについても本発明の技術的範囲内に当然に属するものと了解される。
【００３４】
例えば、上記実施の形態においては、拡張ステーションの挿着状態を第１および第２スイッチング手段により２段階に区分して、携帯用コンピュータの動作モードをサスペンドモードおよびレジュームモードに変更するように構成したが、もちろん３以上の段階に区分し、より細かく携帯用コンピュータの動作モードを制御するように構成してもよい。
【００３５】
【発明の効果】
以上説明したように、本発明によれば、小型化に伴う空間的限界により制限されていた機能を拡張ステーション（１００）を利用して拡張する場合に、携帯用コンピュータに挿着される拡張ステーション１００の接続状態に応じて携帯用コンピュータの動作状態を制御する。そして、拡張ステーションが安全に接続された後に、定常的なコンピュータ動作が行われるようにコンピュータの動作モードを制御して、コンピュータの電源状態を管理するので、拡張ステーションをシステム本体に安全に挿着することが可能である。また、拡張ステーションの挿着動作時には、定常的動作状態ではないと判断して電源を切れば、不必要な電源の消耗を減じることができる。
【図面の簡単な説明】
【図１】本発明の実施の一形態にかかる拡張ステーションの挿着装置の概略的な構成図である。
【図２】本発明の実施の一形態にかかる拡張ステーションの挿着状態感知装置の概略的な回路を示すブロック図である。
【図３】本発明の実施の一形態にかかる中央処理装置の動作の一例を示すフローチャートである。
【図４】本発明の実施の一形態にかかる携帯用コンピュータの拡張ステーションの挿着完了状態を示す説明図である。
【図５】一般的な拡張ステーションの構成を示す説明図である。
【符号の説明】
Ｖｃｃ      電源
Ｒ１        抵抗
Ｒ２        抵抗
Ｔ１        トランジスタ
１１        第１接点
１２        第２接点
１０００    一次接続部
１３        第１コネクタ
２３        第２コネクタ
２０００    二次接続部
２０        中央処理装置
３０        電源供給部
【図１】
0003984669.tif 000002
【図２】
0003984669.tif 000003
【図３】
0003984669.tif 000004
【図４】
0003984669.tif 000005
【図５】
0003984669.tif 000006